【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
手に嵌めて装着する手袋において、該手袋を手に嵌めて装着して手の平側を顔や頭皮等の体表面に当接させて圧力が加わる部位に、その圧力が加わることで屈曲して起電する圧電体（４）と該圧電体（４）の上面に電極（５）を設け、さらに該手袋の少なくとも指の平に該圧電体（４）で起電する電気を通電して前記体表面に当接させる導電部（６）を設け、該手袋を手に嵌めて装着した状態で、手の平側を体表面に当接させて圧力を加えることで、手袋に加わる圧力に追従して該手袋に設けた圧電体（４）に加わる圧力で、該圧電体（４）に生じる屈曲の歪みの変形によって起電する微弱電流を、該圧電体（４）から通電する前記導電部（６）の面と、該圧電体（４）に設けた電極（５）の面から当接する体表面の組織内に閉回路を形成して、該圧電体（４）の屈曲で起電する微弱電流を体表面に通電しその刺激を無電源で加えるようにした微弱電流活性具。
【請求項２】
手に嵌めて装着する手袋において、該手袋を手に嵌めて装着して手の平側を顔や頭皮等の体表面に当接させて圧力が加わる部位に、その圧力が加わることで屈曲して起電する圧電体（４）を設け、さらに該手袋の指の平と手の平に該圧電体（４）で起電する電気を通電し前記体表面に当接させる導電部（６：６Ａ）と導電部（６：６Ｂ）を設け、該手袋を手に嵌めて装着した状態で、手の平側を体表面に当接させて圧力を加えることで、手袋に加わる圧力に追従して該手袋に設けた圧電体（４）に加わる圧力で、該圧電体（４）に生じる屈曲の歪みの変形によって起電する微弱電流を、該圧電体（４）から通電する指の平に設けた導電部（６：６Ａ）と手の平に設けた導電部（６：６Ｂ）の面から当接する前記体表面の組織内に閉回路を形成して、該圧電体（４）の屈曲で起電する微弱電流を体表面に通電しその刺激を無電源で加えるようにした微弱電流活性具。
【請求項３】
手に嵌めて装着する手袋の手の平側に、着脱可能に係着する係着手段（８）であって、手袋の手の平側に該係着手段（８）を係着し、該手袋に係着した係着手段（８）の顔や頭皮等の体表面に当接させて圧力が加わる部位に、その圧力が加わることで屈曲して起電する圧電体（４）と該圧電体（４）の上面に電極（５）を設け、さらに該係着手段（８）の少なくとも指の平の部位に該圧電体（４）で起電する電気を通電して体表面に当接させる導電部（６）を設け、手袋を手に嵌めて係着手段（８）を係着した状態で、該手袋の手の平側を体表面に当接させて圧力を加えることで、手袋に加わる圧力に追従して該係着手段（８）に設けた圧電体（４）に加わる圧力で、該圧電体（４）に生じる屈曲の歪みの変形によって起電する微弱電流を、該圧電体（４）から通電する前記導電部（６）の面と、該圧電体（４）に設けた電極（５）の面から当接する体表面の組織内に閉回路を形成して、該圧電体（４）の屈曲で起電する微弱電流を体表面に通電しその刺激を無電源で加えるようにした微弱電流活性具。
【請求項４】
手に嵌めて装着する手袋の手の平側に、着脱可能に係着する係着手段（８）であって、手袋の手の平側に該係着手段（８）を係着し、該手袋に係着した係着手段（８）の顔や頭皮等の体表面に当接させて圧力が加わる部位に、その圧力が加わることで屈曲して起電する圧電体（４）を設け、さらに該係着手段（８）の指の平と手の平の部位に該圧電体（４）で起電する電気を通電し体表面に当接させる導電部（６：６Ａ）と導電部（６：６Ｂ）を設け、手袋を手に嵌めて係着手段（８）を係着した状態で、該手袋の手の平側を体表面に当接させて圧力を加えることで、手袋に加わる圧力に追従して該係着手段（８）に設けた圧電体（４）に加わる圧力で、該圧電体（４）に生じる屈曲の歪みの変形によって起電する微弱電流を、該圧電体（４）から通電する指の平の部位に設けた導電部（６：６Ａ）と手の平の部位に設けた導電部（６：６Ｂ）の面から当接する体表面の組織内に閉回路を形成して、該圧電体（４）の屈曲で起電する微弱電流を体表面に通電しその刺激を無電源で加えるようにした微弱電流活性具。
【請求項５】
手に嵌めて装着する１対の手袋において、該１対の手袋の顔や頭皮等の体表面に当接させる手の平側に導電部（６）を各設け、さらに少なくとも片方の手袋の該手袋を手に嵌めて手の平側を前記体表面に当接させて圧力が加わる部位に、その圧力が加わることで屈曲して起電する圧電体（４）を設け、該１対の手袋の間に該圧電体（４）で起電する電気を通電する導電線（６ｄ）を設け、該１対の手袋を手に嵌めて装着した状態で、手の平側を体表面に当接させて圧力を加えることで、手袋に加わる圧力に追従して少なくとも片方の手袋に設けた圧電体（４）に加わる圧力で、該圧電体（４）に生じる屈曲の歪みの変形によって起電する微弱電流を、該圧電体（４）から通電する片方の手袋に設けた導電部（６）の面と、前記導電線（６ｄ）を介して通電するもう片方の手袋に設けた導電部（６）の面から当接する体表面の組織内に閉回路を形成して、該圧電体（４）の屈曲で起電する微弱電流を体表面に通電しその刺激を無電源で加えるようにした微弱電流活性具。
【請求項６】
手に嵌める１対の手袋において、片方の手袋に適当な大きさの金属シート（７）を設け、もう片方の手袋に適当な大きさで前記金属シート（７）とはイオン化傾向が異なる金属シート（８）を設け、両方の手袋を導電線（６ｄ）で接続し、両方の手袋を手に嵌めた状態で、金属シート（７）と金属シート（８）との間で起電する微弱電流を、金属シート（７）と金属シート（８）の各面から、又は両方の手袋に形成した導電部（６）と導電部（６）から当接する皮膚の組織内に通電するようにした微弱電流活性具。
【請求項７】
手に嵌める手袋において、手袋に適当な大きさの金属シート（７）と、適当な大きさで前記金属シート（７）とはイオン化傾向が異なる金属シート（８）を設け、手袋を手に嵌めた状態で、金属シート（７）と金属シート（８）との間で起電する微弱電流を、金属シート（７）と金属シート（８）の各面から、又は手袋に形成した金属シート（７）から通電する導電部（６）と金属シート（８）から通電する導電部（６）から当接する皮膚の組織内に通電するようにした微弱電流活性具。
【請求項８】
手で持って体表面を叩く打具において、該打具の体表面を叩いて衝撃を受ける部位に圧電体（４）を弾性部（１ｅ）上に重ねて設け、さらに該打具に体表面と当接して該圧電体（４）で起電する電気を通電する導電部（６：６Ａ）と導電部（６：６Ｂ）を突設し、該打具を手で持って突設した導電部（６：６Ａ）と導電部（６：６Ｂ）の面で体表面を叩くことで、その衝撃力に応じて前記弾性部（１ｅ）とその上に設けた圧電体（４）に押圧する力が加わり、その押圧力によって該弾性部（１ｅ）に変形が起きることで、その変形に追従して該弾性部（１ｅ）上に重ねて設けた圧電体（４）に生じる圧縮や屈曲の歪みで起電する微弱電流を、該圧電体（４）から通電する前記導電部（６：６Ａ）と導電部（６：６Ｂ）の面から当接する体表面の組織内に閉回路を形成して、該圧電体（４）の圧縮や屈曲で起電する微弱電流を体表面に通電してその刺激を無電源で加えるようにした微弱電流活性具。
【請求項９】
体表面を叩く打具において、該打具に圧力が加わることで起電する圧電体（４）と、体表面を叩くことで該圧電体（４）に打撃を与える打撃部（１ｇ）を設け、さらに該圧電体（４）から通電する導電部（６：６Ａ）と導電部（６：６Ｂ）を設け、打具を手に持って体表面を叩くことで、前記圧電体（４）上に打撃部（１ｇ）から加わる圧力によって生じる圧縮の歪みで起電する微弱電流を、導電部（６：６Ａ）と導電部（６：６Ｂ）の面から、又は導電部（６：６Ａ）と導通する凸部（６：６ａ）と導電部（６：６Ｂ）と導通する凸部（６：６ｂ）から当接する体表面の組織内に閉回路を形成して、該圧電体（４）の圧縮で起電する微弱電流を体表面に通電してその刺激を無電源で加えるようにした微弱電流活性具。
【請求項１０】
体表面を叩く打具において、該打具に適当に撓む柄部（１ｆ）を設け、該柄部（１ｆ）に適当に撓む圧電フィルム（４：４ｂ）を設け、さらに該圧電フィルム（４：４ｂ）から通電する導電部（６：６Ａ）と導電部（６：６Ｂ）を設け、前記柄部（１ｆ）を手に持って体表面を叩くことで、圧電フィルム（４：４ｂ）に加わる圧力によって生じる屈曲の歪みで起電する微弱電流を、導電部（６：６Ａ）と導電部（６：６Ｂ）の面から、又は導電部（６：６Ａ）と導通する凸部（６：６ａ）と導電部（６：６Ｂ）と導通する凸部（６：６ｂ）から当接する体表面の組織内に閉回路を形成して、該圧電体（４）の屈曲で起電する微弱電流を体表面に通電してその刺激を無電源で加えるようにした微弱電流活性具。
【請求項１１】
顔の面に密着させ着脱可能に装着するフェイスマスクにおいて、該フェイスマスクに頭部の周りに締付けて固定する適当な幅をもった帯状のバンド部（１ｈ）を設け、該バンド部（１ｈ）の頭部に当接する部位に圧電体（４）を設け、さらに該フェイスマスクの内面に顔の面に密着し該圧電体（４）で起電する電気を通電する導電部（６：６Ａ）と導電部（６：６Ｂ）を設け、前記バンド部（１ｈ）を頭部の周りに締付けて固定し装着した状態で、該バンド部（１ｈ）の内面に当接する頭部の動きでバンド部（１ｈ）に加わる圧縮や屈曲する力に追従して、該バンド部（１ｈ）に設けた圧電体（４）に生じる圧縮や屈曲の歪みで起電する微弱電流を、該圧電体（４）から通電する前記導電部（６：６Ａ）と導電部（６：６Ｂ）の面から当接する体表面の組織内に閉回路を形成して、該圧電体（４）の圧縮や屈曲で起電する微弱電流を体表面に通電しその刺激を無電源で加えるようにした微弱電流活性具。
【請求項１２】
顔の面に密着させて固定し装着するフェイスマスクにおいて、該フェイスマスクの顔の面と密着する内面に圧電フィルム（４：４ｂ）と該圧電フィルム（４：４ｂ）の上面に電極（５）を設け、さらに該フェイスマスクの内面に顔の面に密着し該圧電体（４）で起電する電気を通電する導電部（６）を設け、該フェイスマスクを顔の面に密着して固定した状態で、その内面に当接する顔の面の動きで加わる該フェイスマスクを屈曲する力に追従して、該フェイスマスクに設けた圧電フィルム（４：４ｂ）に生じる屈曲の歪みで起電する微弱電流を、該圧電フィルム（４：４ｂ）から通電する前記電極（５）と導電部（６）の面から当接する顔の皮膚組織内に閉回路を形成して、該圧電フィルム（４：４ｂ）の屈曲で起電する微弱電流を体表面に通電しその刺激を無電源で加えるようにした微弱電流活性具。
【請求項１３】
頭に着脱可能に被るヘアーネットにおいて、該ヘアーネットに頭部の周りに締付けて固定する適当な幅をもった帯状のバンド部（１ｈ）を設け、該バンド部（１ｈ）の頭部に当接する部位に圧電体（４）を設け、さらに該ヘアーネットの頭皮面に当接して該圧電体（４）で起電する電気を通電する複数の凸部（６：６ａ）と複数の凸部（６：６ｂ）を各突設し、前記バンド部（１ｈ）を頭部の周りに締付けて固定し装着した状態で、該バンド部（１ｈ）の内面に当接する頭部の動きで加わるバンド部（１ｈ）を圧縮したり曲げる力に追従して、該バンド部（１ｈ）に設けた圧電体（４）に生じる圧縮や曲げの歪みで起電する微弱電流を、該圧電体（４）から通電する前記複数の凸部（６：６ａ）と複数の凸部（６：６ｂ）の先端部から当接する頭皮の組織内に閉回路を形成して、該圧電フィルム（４：４ｂ）の圧縮や屈曲で起電する微弱電流を体表面に通電しその刺激を無電源で加えるようにした微弱電流活性具。
【請求項１４】
前記圧電体（４）が、屈曲して起電する圧電フィルム（４ｂ）でなる請求項１〜５、８、９、１１、１３のいずれか１項記載の微弱電流活性具。
【請求項１５】
前記圧電体（４）が、適当に可撓性と導電性を有する基板（３）の面上に設けた圧電体（４）でなり、その基板（３）の撓みに追従して屈曲し起電する圧電体（４）でなる請求項１〜５、８、９、１１、１３のいずれか１項記載の微弱電流活性具。
【請求項１６】
前記圧電体（４）が、適当に屈曲する厚みの圧電セラミック（４ａ）でなる請求項１５項記載の微弱電流活性具。
【請求項１７】
前記圧電体（４）において、圧電体（４）の上面と下面に電極（５）を設けてなる請求項１〜５、８〜１４のいずれか１項記載の微弱電流活性具。
【請求項１８】
前記微弱電流活性具にＬＥＤ（９）を設け、圧電体（４）に加わる力によって生じる歪みの変形で起電する微弱電流を、ＬＥＤ（９）の点灯で確認できるようにした請求項１〜５、８〜１７のいずれか１項記載の微弱電流活性具。